(57)【要約】【目的】本発明は、水槽内に敷きつめられる砂利内に埋設されて水槽の底面に設置される底面濾過装置であって、その濾過装置内を流れる水の流速を適度にはやめて、そこに滞留するゴミを水と共に排出でき、またその装置内のエアーを積極的に排出できるようにしてそのエアーの滞留を防止し、さらにその装置と砂利との間に目詰まりが発生しないようにして、底面濾過装置に清掃頻度を大幅に減らすようにした。【構成】同じ形状の基部および接続ユニットＵＢ，ＵＪを着脱可能に接続し、それらには、吸水室６；１０６と、その室に通水孔８；１０８を介して連通する吸水通路４，５；１０４，１０５を形成すると共にそれらの上壁１，１０１には、峰と谷とそれらを継ぐ凹凸状傾斜面よりなる複数の凹凸面１０が縦横に格子状に形成され、さらに前記基部ユニットＵＢのコーナーには吸水通路４，５；１０４，１０５に連通する吸水部３が設けられ、この吸水部３に、導水管に連通する接続ジョイントＪが接続される。【選択図】      図３
2004321029.tif 000002
【特許請求の範囲】
【請求項１】
水槽（Ｖ）内に敷きつめられる砂利（Ｓ）内に埋設されて水槽（Ｖ）内の底面に設置される底面濾過装置において、
基部ユニット（ＵＢ）と、これに連結片（２５，２６；１２５，１２６）を介して着脱自在に接続される少なくとも一つの接続ユニット（ＵＪ）とを備え、
前記基部および接続ユニット（ＵＢ，ＵＪ）は、いずれも上下に偏平で平面四角状に形成されており、それらには、水槽（Ｖ）の底面と協働する吸水室（６；１０６）と、その吸水室（６；１０６）に通水孔（８；１０８）を介して連通する吸水通路（４，５；１０４，１０５）とが形成されると共にそれらの上壁（１，１０１）には、峰（１０ａ）と、谷（１０ｃ）と、それらを継ぐ凹凸状傾斜面（１０ｂ）とを有する複数の凹凸面（１０）が形成され、前記峰（１０ａ）と谷（１０ｃ）とに、前記砂利（Ｓ）よりも小さい複数の小孔（１２）が開口され、さらに、前記基部ユニット（ＵＢ）のコーナには、前記吸水通路（４，５）に連通されると共に吸水部（３）が設けられ、その吸水部（３）には、導水管（３０）の連結される吸水ジョイント（Ｊ）が接続されることを特徴とする、底面濾過装置。
【請求項２】
前記基部および接続ユニット（ＵＢ，ＵＪ）の吸水通路（  ４，５；１０４，１０５）の開口上面は、蓋体（１３，１１３）により開閉可能に閉じられることを特徴とする、前記請求項１記載の底面濾過装置。
【請求項３】
前記基部ユニット（ＵＢ）に設けられる吸水部（３）には、吸水ジョイント（Ｊ）が回動かつスライド可能に設けられて、基部ユニット（ＵＢ）に対して位置調節可能であることを特徴とする、前記請求項１または２記載の底面濾過装置。
【発明の詳細な説明】
【０００１】
【発明の属する技術分野】
本発明は、金魚、熱帯魚、海水魚等の飼育用水槽の底面に敷設されて、水槽内の水を循環濾過するようにした、底面濾過装置に関するものである。
【０００２】
【従来の技術】
従来、水槽内の底面に、底面濾過器を設置し、その底面濾過器を覆うように、水槽の底面に大磯などの砂利を敷き詰め、エアポンプ、水中ポンプなどの吸水手段により、水槽内の水を、砂利（濾材として機能する）および底面濾過器を通して吸い上げて濾過したのち、水槽内に戻すようにした、底面濾過装置は公知である（たとえば、特許文献１，２参照）。
【０００３】
【特許文献１】
特開昭６３−１５１３２１号公報
【特許文献２】
特開昭６０−２６１５１８号公報
【０００４】
【発明が解決しようとする課題】
ところで、このような底面濾過装置は、
水槽内の水を、砂利の敷きつめられた底面からその上面に至るまで、万遍なく循環させて濾過することができるため濾過能率が良いというメリットがあるが、
▲１▼底面濾過器に形成される水通路を流れる水の速度が比較的緩慢であるので、底面濾過器内にゴミが滞留する。
【０００５】
▲２▼底面濾過器内のエアー滞りによりＣＯ２  が発生し易くなる。
【０００６】
▲３▼底面濾過器と砂利との間に目詰まりを生じて、水の円滑な流れを阻害する。
【０００７】
などに起因して水の浄化作用を低下させる原因となるという問題がある。
【０００８】
そこで、かかる問題を解決するには、底面濾過装置の清掃頻度を多くすればよいが、底面濾過装置の清掃は、外部式濾過装置などに比べて面倒であり、底面濾過装置の普及を妨げる大きな原因となっているという他の問題がある。
【０００９】
本発明はかかる事情に鑑みてなされたもので、底面濾過装置の主体部を構成する基部および接続ユニット内を流れる水の流速を適度にはやめて、そこに滞留するゴミを水と共に放出でき、また前記ユニット内のエアーを積極的に排出できるようにしてエアの滞留を防止し、さらに前記基部および接続ユニットと砂利との間に目詰まりが発生しないようにして、底面濾過装置の清掃頻度を大幅に減らして前記問題を解決できるようにした、新規な底面濾過装置を提供することを目的とするものである。
【００１０】
【課題を解決するための手段】
前記目的達成のため、本請求項１記載の発明は、水槽内に敷きつめられる砂利内に埋設されて水槽内の底面に設置される底面濾過装置において、
基部ユニットと、これに連結片を介して着脱自在に接続される少なくとも一つの接続ユニットとを備え、前記基部および接続ユニットは、いずれも上下に偏平で平面四角状に形成されており、それらには、水槽の底面と協働する吸水室と、その吸水室に通水孔を介して連通する吸水通路とが形成されると共にそれらの上壁には、峰と谷とそれらを継ぐ傾斜面とを有する複数の凹凸面が形成され、前記峰と谷とに、前記砂利よりも小さい複数の小孔が開口され、さらに、前記基部ユニットのコーナには、前記吸水通路に連通されると共に吸水部が設けられ、その吸水部には、導水管の連結される吸水ジョイントが接続されることを特徴としている。
【００１１】
かかる特徴によれば、吸水室内に流入した水は、複数の通水孔を通って吸水通路へ流れることにより、該吸水通路を流れる水の流速が増して、そこに溜まるゴミを水と共に流れ易くして、ゴミを滞留しにくくすることができ、また基部および接続ユニットの上壁の複数の凹凸面は、その上壁を流れる水の流れを円滑にすると共にそこに開口した小孔は、砂利の大きさよりも小さいことから詰まることなく、その結果、水を滞留させることなく、抵抗少なく円滑に流動させることができ、さらに吸水室内のエアは滞留することなく、小孔を通過して外部に放出され、エアの滞留によるＣＯ２  の発生を極力低減することができ、しかも水の円滑な流れを促進することができる。
【００１２】
また、前記目的達成のため、本請求項２記載の発明は、前記請求項１記載のものにおいて、前記基部および接続ユニットの吸水通路の開口上面は、蓋体により開閉可能に閉じられることを特徴としている。
【００１３】
かかる特徴によれば、蓋体を開放することにより、前記吸水通路の清掃を容易に行なうことができる。
【００１４】
さらに、前記目的達成のため、本請求項３記載の発明は、前記請求項１または２記載のものにおいて、前記基部ユニットに設けられる吸水部には、吸水ジョイントが回動かつスライド可能に設けられて、基部ユニットに対して位置調節可能であることを特徴としている。
【００１５】
かかる特徴によれば、導水管を接続する吸水ジョイントは、基部ユニットに対してスライドかつ回動可能であることから、従来の可撓性蛇腹管（孔があきやすい）を用いることなく、導水管の位置調整を簡単に行なうことができる。
【００１６】
【発明の実施の形態】
以下、本発明の実施の形態を、添付図面に示した本発明の実施例に基づいて説明する。
【００１７】
図１〜１２は、本発明の一実施例を示すものであり、図１は、本発明底面濾過装置を備えた水槽の全体平面図、図２は、図１の２−２線に沿う断面図、図３は、底面濾過装置の平面図、図４は、図３の４−４線に沿う断面図、図５は、図３の５−５線に沿う断面図、図６は、図３の６−６線に沿う拡大断面図、図７は、図３の７−７線に沿う断面図、第８図は、底面濾過装置の分解平面図、図９は、底面濾過装置の水の流れを示す図、図１０は、底面濾過装置の裏面の一部斜視図、図１１は、基部濾過ユニットのジョイント部を外方にスライドした場合の部分平面図、図１２は、基部濾過ユニットのジョイント部を回動した場合の部分平面図である。
【００１８】
図１，２において、水槽Ｖ内には、大磯などの砂利Ｓが敷きつめられており、本発明にかかる底面濾過装置の主体部をなす、基部および接続ユニットＵＢ，ＵＪは、その砂利Ｓ中に埋設させて、水槽Ｖ内に設置される。このように基部および接続ユニットＵＢ，ＵＪを水槽Ｖの底部に設置した状態で、これに接続される吸水手段のエアポンプＰを作動させることにより、水槽Ｖ内の水は、濾材として機能する砂利Ｓを透過して濾過されたのち、基部および接続ユニットＵＢ，ＵＪに吸引され、エアと共に吸い上げられて水槽Ｖ内に戻される。
【００１９】
図３〜８に示すように、底面濾過装置は、吸水部３を備えた基部ユニットＵＢと、これに着脱可能に接続される接続ユニットＵＪとを備えており、これらのユニットＵＢ，ＵＪは、いずれも硬質の合成樹脂材よりなり、それらは上下に偏平で平面四角形であり、同じ大きさに形成され、基部ユニットＵＢが吸水部３を備えているのに対して接続ユニットＵＪは、それを備えていないが、その他の構成は略同じである。
【００２０】
まず、基部ユニットＵＢの構造について説明するに、この基部ユニットＵＢは、平面四角形で、上下に偏平に形成されており、上壁１と、該上壁１の四辺を囲む側壁２とを有し、その下面が開放されている。前記基部ユニットＵＢの一つのコーナー部に、平面扇状の吸水部３が形成されると共にこの吸水部３に連通する２つの吸水通路４，５が、その吸水部３を挟む２辺に沿って略直角に形成され、さらに前記吸水部３および２つの吸水通路４，５を除く上壁１の下面に、吸水室６（水槽Ｖの底面上に設置される）が形成される。そして、図３，８，９に示すように、上壁１下の吸水室６と、２つの吸水通路４，５間は、それらを仕切る仕切壁７に間隔をあけて穿設した複数の通水孔８…を通して連通されている。したがって、吸水室６内の水は、通水孔８…を通って２つの吸水通路４，５間へと流れ、さらに、そこから吸水部３へと流れる（図９矢印）。前記吸水通路４，５の外端は開口されていて、後に述べるように、基部ユニットＵＢに、接続ユニットＵＪを接続したとき、その接続ユニットＵＪの吸水通路１０４，１０５と連通できるようになっている。そして、接続ユニットＵＪの吸水通路１０４，１０５に接続されない吸水通路４，５の開口外端は栓体４０により閉じられる。
【００２１】
前記吸水部３には、後に述べるように、放射方向にスライド調節可能（図１１参照）で、かつ基部ユニットＵＢのコーナー部に設けた支持孔１８（図７参照）回りに回転可能（図１２参照）な吸水ジョイントＪが設けられる。
【００２２】
また、基部ユニットＵＢの上壁１の上面には、前記吸水部３を残して、複数の四角な凹凸面１０…が縦横に格子状に連続的に形成されている。各凹凸面１０…は、図７に示すように、その中央の峰１０ａと、その縁辺の谷１０ｃと、その峰１０ａから谷１０ｃへ下向きに傾斜する傾斜面１０ｂを有し、その谷１０ｃは、隣り合う他の凹凸面１０の境界線１１と一致している。また前記傾斜面１０ｂは、平面Ｙ字状の複数の稜線と、それら間の複数の直線状谷間とを有して尖鋭な凹凸状に形成されている。そして、かかる形状に形成される尖鋭な凹凸面１０…を格子状に連続させてなる、基部ユニットＵＢの上壁１は、その峰１０ａから谷１０ｃに向けて水が流れやすいようになっている。峰１０ａには一つ、谷１０ｃには複数の四角な小孔１２…がそれぞれ開口されており、上壁１に沿って流れる水は、それらの小孔１２…を通して前記吸水室６へと流入するようになっている。前記小孔１２…の大きさは、砂利（たとえば大磯）Ｓの粒よりも小さく、この小孔１２…から砂利Ｓが吸水室６内に落下することがないようにしてあり、また、これらの小孔１２…を通して前記吸水室６内の貯留エアーのエアー抜きが行なわれるようになっている。
【００２３】
図４〜７に示すように、前記２つの吸水通路４，５は、断面凹状であり、コーナーの吸水部３を挟む側壁２，２と、仕切壁７  ，７に沿って形成されており、これらの吸水通路４，５は、前記吸水部３のところで相互に連通されている。図９に示すように、前記仕切壁７，７は、前記吸水部３のところで円弧壁９により接続されている。
【００２４】
前記吸水部３および２つの吸水通路４，５の開口上面は、前記基部ユニットＵＢの上壁１の一部を構成するＬ字状の蓋体１３により閉じられる。図３，７，８に示すように、前記蓋体１３は、吸水部３を閉じる扇形状部分１３ａと、その両側から略直角に延びて、前記２つの吸水通路４，５を閉じる短冊状部分１３ｂ，１３ｂとよりなる。前記扇形状部分１３ａの左右には、一対の係合孔１５，１５が穿設され、これらの係合孔１５，１５は、基部ユニットＵＢの吸水部３に突設した係止爪１６，１６に係脱自在に係合し、前記吸水部３および２つの吸水通路４，５の開口上面を開閉可能に閉じる。そして、２つの吸水通路４，５の開口上面を閉じる２つの短冊状部分１３ｂ，１３ｂの上面には、基部ユニットＵＢの上面に形成した、前記複数凹凸面１０と同じ複数凹凸面が形成されている。また、吸水通路４，５の開口外端（接続ユニットＵＪの接続されない側の外端）は栓体４０により閉じられる。
【００２５】
図３，７〜９に示すように、基部ユニットＵＢの一つのコーナー部に形成される吸水部３の底壁には、円形の支持孔１８が開口され、この支持孔１８には、円筒状のホルダ１９が回転自在に支持されている。このホルダ１９には、凹条の案内溝１９ａが形成されると共にその底面中央部に案内突起１９ｂが突設されている。一方、吸水ジョイントＪは、内端に吸水口２１を開口した偏平な角筒状の案内管２０と、この案内管２０より起立する吸水管２２とよりＬ状に形成されており、前記案内管２０は、前記ホルダ１９の案内溝１９ａにスライド可能に嵌合され、また案内管２０の底面に形成した長溝２０ａは、前記案内突起１９ｂにスライド自在に係合されている。したがって、吸水ジョイントＪは、図１１に矢印で示すように、長溝２０ａが案内突起１９ｂに沿ってスライドすることにより、基部ユニットＵＢに対して放射方向にスライド調節可能であり、また、図１２に矢印で示すように、吸水ジョイントＪはホルダ１９と共に支持孔１８回りに回転して基部ユニットＵＢに対して左右に回転調節可能である。
【００２６】
図３，８，９に示すように、基部ユニットＵＢの吸水部３と対向する２辺、すなわち前記吸水通路４，５を有しない二辺の外面には、後に述べる接続ユニットＵＪの雄、雌連結片１２６，１２５と着脱可能に連結される雌、雄接続片２５，２６が間隔をあけて設けられる。
【００２７】
図１，２，７に示すように、前記吸水ジョイントＪの吸水管２２には、伸縮可能な導水管３０が接続される。この導水管３０は、水槽Ｖ内を垂直に延長され、その上端の出口は、水槽Ｖの上部に開口される。また、前記導水管３０内には、吸水手段としてのエアポンプＰに接続されるエアパイプ３１が挿入され、該エアパイプ３１の下端にエアストン３２が接続される。しかして、吸水ジョイントＪは、前述したように、基部ユニットＵＢに対してスライドかつ回転可能であるので、水槽Ｖ内で、導水管３０の設置位置を調節することができる。導水管３０は通常のように、吸盤３３により水槽Ｖの壁面に固定される。
【００２８】
図８に示すように、基部ユニットＵＢに着脱可能に接続される接続ユニットＵＪは、基部ユニットＵＢと同じ材質により同じ大きさで、同じ形状に形成されており、その上壁１０１の下面には、基部ユニットＵＢと同じ吸水室１０６（水槽Ｖの底面と協働）が形成されると共にその相隣れる２辺に跨がって、側壁１０２および仕切壁１０７とにより、断面凹状で平面Ｌ字状の吸水通路１０４，１０５が形成されており、これらの吸水通路１０４，１０５の両外端は開口されている。そして、この吸水室１０６と、吸水通路１０４，１０５とは、仕切壁１０７に形成した複数の通水孔１０８を介して相互に連通されている。吸水通路１０４，１０５の開口上面は、Ｌ字状の蓋体１１３により開閉可能に閉じられ、また、それらの開口外端は、必要に応じて栓体４０により閉じられる。また、この接続ユニットＵＪの上壁１０１および蓋体１１３の上面には、前記基部ユニットＵＢの上面と同じ形状でかつ同じ小孔１２…を開口した凹凸面１０が形成されている。また、接続ユニットＵＪの、吸水通路１０４，１０５を有しない他の２辺には、前記基部ユニットＵＢの雌、雄連結片２５，２６と着脱可能に接続し得る他の雄、雌連結片１２５，１２６が形成されている。
【００２９】
つぎに、この実施例の作用について説明する。
【００３０】
この実施例は、基部ユニットＵＢに、一つの接続ユニットＵＢを接続した場合であり、図１〜３に示すように、基部ユニットＵＢの一辺の雌、雄連結片２５，２６と、接続ユニットＵＪの一辺の雄、雌連結片１２６，１２５を連結すれば、それらは一平面上に一体に結合され、それらの吸水通路４，５および１０４，１０５は相互に連通され、それらの吸水通路４，５および１０４，１０５の開口上面を蓋体１３，１１３によってそれぞれ閉じる。このとき、これらの吸水通路４，５；１０４，１０５の開口外端は、栓体４０によりそれぞれ閉じられる。
【００３１】
基部および接続ユニットＵＢ，ＵＪの結合体を、図１，２に示すように、水槽Ｖの底面に設置する。これにより、水槽Ｖの底面には、基部および接続ユニットＵＢ，ＵＪとで、吸水室６，１０６が形成される。そして、水槽Ｖの底面には、基部および接続ユニットＵＢ，ＵＪを覆うように、砂利Ｓを敷設する。  また、吸水ジョイントＪには、導水管３０を接続し、該導水管３０に挿入される、エアストン３２を連結したエアパイプ３１をエアポンプＰに接続する。
【００３２】
エアポンプＰの運転によれば、導水管３０内に発生する上昇気流により、吸水室６，１０６内に吸引力が発生し、水槽Ｖ内の未浄化水は、砂利Ｓを通過して濾過され、浄化されたのち、その浄化水は、基部および接続ユニットＵＢ、ＵＪの吸水室６，１０６に流入し、そこから複数の通水孔８，１０８を介して吸水通路４５，１０４，１０５へと流れ、吸水ジョイントＪを経て導水管３０内を上昇して、その上端の出口から水槽Ｖ内に戻される。
【００３３】
ところで、前記の濾過作用において、
▲１▼吸水室６，１０６内に流入した水は、複数の通水孔８，１０８を通って吸水通路４，５，１０４，１０５へと流れることにより、該吸水通路４，５，１０４，１０５を流れる水の流速が増して、そこに溜まるゴミを水と共に流れ易くして、吸水室６，１０６や吸水通路４，５，１０４，１０６にゴミを滞留しにくくすることができる。
【００３４】
▲２▼基部および接続ユニットＵＢ，ＵＪの上壁１，１０１には、複数の凹凸面１０…が形成され、それらの凹凸面１０…は、前述のように、峰１０ａ、凹凸状傾斜面１０ｂおよび谷１０ｃを有して尖鋭な凹凸状に形成されており、峰１０ａと谷１０ｃにそれぞれ開口される小孔１２…は砂利Ｓの大きさよりも小さいことから詰まることなく、上壁１，１０１上の水は、その上壁１，１０１の傾斜より、該上壁１，１０１に沿い、小孔１２…を通って吸水室６，１０６へと円滑に流れて、滞留することがなく、水の循環が抵抗少なく円滑に行なわれる。
【００３５】
▲３▼吸水室６，１０６内のエアは、該室６，１０６に滞留することなく、小孔１２…を通過して外部に放出され、エアの滞留によるＣＯ２  の発生を極力低減することができると共に水の円滑な流れを保障して、水の滞留による濾過機能の低下を防止することができる。
【００３６】
▲４▼導水管３０を接続する吸水ジョイントＪは、基部ユニットＵＢに対してスライドかつ回動可能であることから、従来の可撓性蛇腹管（孔があきやすい）を用いることなく、導水管３０の位置調整を簡単に行なうことができる。
【００３７】
以上、本発明の実施例について説明したが、本発明はその実施例に限定されることなく、本発明の範囲内で種々の実施例が可能である。
【００３８】
たとえば、前記実施例では、基部ユニットに一つの接続ユニットを接続した場合を説明したが、それらの基部および接続ユニットには、他の複数の接続ユニットを接続できることは勿論であり、また、前記実施例では、吸水手段として、エアポンプを用いているが、これに代えて水中ポンプなどの他のポンプを用いてもよい。
【００３９】
【発明の効果】
以上のように、本請求項１記載の発明によれば、基部および接続ユニットを流れる水の流速を適度にはやめて、そこに滞留するゴミを水と共に排出でき、またそれらのユニット内のエアーを積極的に排出できるようにしてエアの滞留を防止し、さらに基部および接続ユニットと砂利との間に目詰まりが発生しないようにして、長期にわたり変わることのない、高い濾過能率を確保することができるとともに底面濾過装置の清掃頻度を大幅に減らすことができる。
【００４０】
また、本請求項２記載の発明によれば、前記請求項１記載のものにおいて、前記基部および接続ユニットの吸水通路の開口上面は、蓋体により開閉可能に閉じられることを特徴としている。
【００４１】
かかる特徴によれば、蓋体を開放することにより、前記吸水通路の清掃を容易に行なうことができる。
【００４２】
さらに、本請求項３記載の発明によれば、前記請求項１または２記載のものにおいて、前記基部ユニットに設けられる吸水部には、吸水ジョイントが回動かつスライド可能に設けられて、基部ユニットに対して位置調節可能であることを特徴としている。
【００４３】
かかる特徴によれば、導水管を接続する吸水ジョイントは、基部ユニットに対してスライドかつ回動可能であることから、従来の可撓性蛇腹管（孔があきやすい）を用いることなく、導水管の位置調整を簡単に行なうことができる。
【図面の簡単な説明】
【図１】底面濾過装置を備えた水槽の全体平面図
【図２】図１の２−２線に沿う断面図
【図３】底面濾過装置の平面図
【図４】図３の４−４線に沿う断面図
【図５】図３の５−５線に沿う断面図
【図６】図３の６−６線に沿う拡大断面図
【図７】図３の７−７線に沿う断面図
【図８】底面濾過装置の分解平面図
【図９】底面濾過装置の水の流れを示す図
【図１０】底面濾過装置の裏面の一部斜視図
【図１１】基部濾過ユニットのジョイント部を外方にスライドした場合の部分平面図
【図１２】基部濾過ユニットのジョイント部を回動した場合の部分平面図
【符号の説明】
１，１０１・・・・・・・・上壁
３・・・・・・・・・・・・吸水部
４；１０４・・・・・・・・吸水通路
５；１０５・・・・・・・・吸水通路
６；１０６・・・・・・・・吸水室
８；１０８・・・・・・・・通水孔
１０・・・・・・・・・・・凹凸面
１０ａ・・・・・・・・・・峰
１０ｂ・・・・・・・・・・傾斜面
１０ｃ・・・・・・・・・・谷
１２・・・・・・・・・・・小孔
１３；１１３・・・・・・・蓋体
２５；１２５・・・・・・・連結片（雌連結片）
２６；１２６・・・・・・・連結片（雄連結片）
３０・・・・・・・・・・・導水管
Ｊ・・・・・・・・・・・・吸水ジョイント
Ｓ・・・・・・・・・・・・砂利
ＵＢ・・・・・・・・・・・基部ユニット
ＵＪ・・・・・・・・・・・接続ユニット
Ｖ・・・・・・・・・・水槽
【図１】
2004321029.tif 000003
【図２】
2004321029.tif 000004
【図３】
2004321029.tif 000005
【図４】
2004321029.tif 000006
【図５】
2004321029.tif 000007
【図６】
2004321029.tif 000008
【図７】
2004321029.tif 000009
【図８】
2004321029.tif 000010
【図９】
2004321029.tif 000011
【図１０】
2004321029.tif 000012
【図１１】
2004321029.tif 000013
【図１２】
2004321029.tif 000014